(57)【特許請求の範囲】
【請求項１】
取付け部に一部又は全てを選択的に利用する複数の固定具用孔を有し、これら固定具用孔は、金物素材を貫通する固定具用孔を形成した後、金物素材の表面に皮膜を形成することにより固定具用孔を塞がれた状態としてあることを特徴とした建築金物。
【請求項２】
取付け部に一部又は全てを選択的に利用する複数の固定具用孔を有し、これら固定具用孔は、金物素材を貫通する固定具用孔を形成した後、固定具用孔に固定具が貫通可能な充填物を充填することにより固定具用孔を塞がれた状態としてあることを特徴とした建築金物。
【請求項３】
固定具用孔の位置を示す目印を表示してあることを特徴とした請求項１又は２に記載の建築金物。
【発明の詳細な説明】
【０００１】
【発明の属する技術分野】
この発明は、ひら金物、かど金物、筋交いプレート、ホールダウン金物等の建築金物に関する。
【０００２】
【従来の技術】
木造住宅の構造材接合個所には、多種の建築金物が用いられる。建築金物は、接合態様に応じた形態を備え、取付け部を釘、ビス等の固定具で柱などに固定する。この場合、取付け部には固定具用孔が形成してあり、釘、ビスなどの固定具はこの孔を利用して打ち込まれる。
ところで、建築金物を目標耐力で固定するには、適切な金物を選択することは勿論のこと、使用する固定具の本数及びその配置（打ち込む位置）が適切でなければならない。一方、固定具の適切な本数や配置は、接合しようとする部材（柱、筋交いなど）の寸法や角度、要求される耐力等によって種々な選択がある。このため、それぞれの場合に専用の建築金物を個別に用意すると、その種類が非常に多くなり、現場で煩わしいばかりでなく、製品としてコスト高になる。
【０００３】
そこで、同種の建築金物では、数種の寸法や角度あるいは目標耐力に兼用できるように、選択によって、いずれの場合にも適合する固定具用孔を予め形成して汎用性を高めている。このような汎用化は釘打ちの場合とビス止めの場合を兼用するように固定具の違いにも対応させることがある。
例えば、図１は桁１ａ,１ｂを小短冊金物２で釘打ちにより結合したものであり（釘３）、図２は大梁４ａ，４ｂを大短冊金物５で釘打ちにより結合したものである。桁１ａ,１ｂの結合に対して大梁４ａ,４ｂの結合に必要とする耐力は大きいので、大短冊金物５は長く、使用する釘（スクリュー釘３）の本数も大きい。しかし、多少の無駄を覚悟であれば、図３のように大梁４ａ,４ｂの結合に用いる大短冊金物５は桁１ａ,１ｂの結合にも用いることができる。なお、図３において符号６は固定具用孔である。
【０００４】
また、図４、５のコーナープレート７、８は主として土台と柱の下端部を結合するものであり、同じ耐力を発揮できるように設計してあるが、コーナープレート７は釘打ち用で、固定具用孔６が６個であるのに対して、コーナープレート８はビス止め用であるために固定具用孔６を９個有している。そして、釘打ち用とビス止め用とで固定具用孔６の大きさをほぼ同じにし、また、ビス止め用の孔の配置に釘打ち用の孔の配置を重合させても、強度上、支障はないと考えられるので、ビス止め用のコーナープレート８は釘打ち用のコーナープレート７を兼用することができる。
なお、図５では、ビス止め用のコーナープレート８を釘打ちで使用する態様を示しており、スクリュー釘３を差し込んだ状態としてある。
【０００５】
しかし、このような建築金物を利用すると、当然のことではあるが、利用する必要のない固定具用孔６が、釘やビスなどの固定具を打たれないままに残る事態が生じる（図３）。この状況は見る者に、作業を急ぐあまり手抜きをしたような印象を与えることがある。建物の構造・強度上では何ら問題がなく、また、完成した建物では外装、内装の仕上げ材に隠れて建築金物は見えず、外観上からも何ら問題がないにしても、建築途中に施主が訪れて不必要な心配をかけたり、通りがかりの人の目について施工者の評判が不当に傷つくことは好ましくない。
【０００６】
【発明が解決しようとする課題】
この発明は、利用しない固定具用孔が存在しても目立つことが少ない建築金物の提供を課題とする。
【０００７】
【課題を解決するための手段】
取付け部に一部又は全てを選択的に利用する複数の固定具用孔を備えた建築金物とする。これら固定具用孔は予め塞いである。しかし、必要があれば塞がれた状態を破って固定具を打ち込むことができる。
取付け部は建築金物を釘などの固定具で柱などの部材へ固定する部分である。また、複数の固定具用孔は、この建築金物を適用できる部材の寸法や角度あるいは耐力に適合するようにそれぞれの場合に応じた数と配置を網羅的に組み合わせてある。
【０００８】
固定具用孔を予め塞ぐ手段はさまざまである。例を上げると、建築金物に形成する金属素材にドリルなどで固定具用孔を形成するとき、裏面（柱など建築金物を取付ける部材と接する面）から表面側へ加工し、表面がわに固定具で打ち抜きが容易な薄肉部を残す方法、このような薄肉部をプレスで一挙に形成する方法、あるいは、固定具用孔を貫通孔として形成した後、金属素材の表面側にフィルムや金属箔を貼着するとか、塗布後に柔軟性のある被膜を形成する塗料を塗るなどの手段で皮膜を形成する方法、あるいは、固定具用孔を貫通孔として形成した後、金属素材と同様な色彩の樹脂を充填する方法などである。充填にはどぶ漬けや摺り込みがあるが、いずれにしても、固定具を打ち込むことで容易に塞がれた状態を破れるものとする。
【０００９】
固定具用孔は選択して利用するが、選択に便利なように、塞がれた状態にある固定具用孔の位置を示す何らかの目印を付けておくことがある。目印は積極的に付ける場合と消極的に形成される場合がある。皮膜を形成することで塞がれた状態とするものでは、皮膜形成時に皮膜の収縮などで固定具用孔の部分がわずかに凹んで目印となり、消極的に皮膜が形成される。
【００１０】
【発明の実施の形態】
図６は、第１の実施形態を示し、大短冊金物である。
大短冊金物９は、金物本体１０とその表面に貼着した塩化ビニルのシート１１（皮膜）とからなる。図は、シート１１を一部引き剥がした状態で示している。
金物本体１０は金属素材としての鋼板を長方形に切取り、両端部に分けて８個ずつ１６個の固定具用孔１２を打ち抜いて形成してある。固定具用孔１２は釘打ちまたはビス止めに兼用である。
【００１１】
シート１１は延伸させた状態で金物本体１０の上面に被せ、８０℃位に短時間加熱して熱収縮させて貼着する。この際、適宜な接着剤を用いると剥がれ落ちることが少ない。シート１１は、黒色やシルバーなど不透明で、貼着すると金物本体１０に形成してある固定具用孔１２の見えないものが好ましい。
大短冊金物９はシート１１を貼着した状態で製品となり、家屋軸組み工程中の建築現場に運ばれる。現場では、シート１１の上からそのまま釘打ちを行なう。シート１１は柔らかく、簡単に貫通するから、何らの困難もない。このとき、金物本体１０に形成してある固定具用孔１２の位置は、シートが固定具用孔１２の個所でわずかに凹んでいる（凹部１３）ことにより、簡単に判別することができる（図７）。
必要があれば、図６に示すように、固定具用孔１２の位置に対応させ、簡単で目立たない目印１４を付しておいても良い。
【００１２】
釘打ちは、１６個ある固定具用孔１２のなかから適切なものを選択して行なう。多くの場合、この大短冊金物９の梱包中に必要とする耐力に応じて選択すべき固定具用孔１２の数と配置が示されており、それに従うこととなる。例えば、この大短冊金物９を桁１ａ，１ｂの結合に用いる場合は、長手方向中央部の８個の固定具用孔１２を選択して釘打ちを行なう。
そして、使用しない固定具用孔１２はそのままシート１１により塞がれた状態のまま残しておく。
【００１３】
この結果、大短冊金物９を小短冊金物２に兼用しても、兼用することにより残る不要な固定具用孔１２はシート１１で塞がれた状態で残っていて目立たず、打ち残したとか、釘打ちを間引いている等の不当な印象を払拭することができる。
また、表面に弾性のあるシート１１が存在することで梱包時や搬送時に金属どうしが擦れ合う騒音を防止したり、水まわりなど湿度の高い個所に近接して使用されても発錆しにくいという副次的な効果もある。
【００１４】
図８は、大短冊金物９に関する他の実施形態であり、金物本体１０だけからなり、固定具用孔１２の構造に特徴がある。すなわち、固定具用孔１２は、ドリル、プレスなどで裏面側から表面へ形成するときに、金属素材を貫通させず、表面部分を薄く残して薄肉部１５を形成する。薄肉部１５は、釘打ち、ビス止めで容易に破壊できる０．５ｍｍ以下としてある。
この実施形態では固定具用孔１２を塞いでいるのが、もともとの金属素材が残された薄肉部１５なので、固定具用孔１２が全く目立たない。また、シート材など鋼板以外の素材を用いる必要がない。
【００１５】
図９は、大短冊金物９に関する第３の実施形態を示し、固定具用孔１２を塞ぐ構造に特徴を有する。すなわち、固定具用孔１２を貫通形成した金物本体１０を塗料にどぶ漬けして引き上げることにより、金物本体１０の表面を塗料で被覆すると共に固定具用孔１２に充満した塗料を乾燥させて固定具用孔１２を塞ぐ充填物とする。この充填物は固定具が容易に貫通可能である。
この実施形態は、固定具用孔１２を塞ぐ工程が簡単で安価に製造することができ、また、金物本体１０に対する防錆効果も高い。なお、図は模式的であって、塗膜などを強調して記載している。
【００１６】
以上、実施形態を説明したが、皮膜とするシート１１は塩化ビニルに限らず塗料も含め多種の合成樹脂を採用することができる。
固定具用孔１２を塞ぐ手段としては、金物本体１０に貫通形成した固定具用孔１２に詰め込む蓋を別途用意しておき、本体金物１０を固定した後に、選択しなかった固定具用孔１２へ蓋を詰め込んで塞ぐこともできる。また、前記のどぶ漬けに替えて固定具用孔１２へ樹脂組成物を摺り込む方法も採用することができる。
この発明を適用できる建築金物は短冊金物やコーナー金物に限らない。
なお、釘打ちを中心に説明したが、ビス止めやボルト止めの場合も同様である。
【００１７】
【発明の効果】
固定具用孔を多数設けて汎用性を高めた建築用金物において、必要がなくて使用しなかった固定具用孔が、塞がれた状態のまま残るので、残った孔が目立たず、手抜き工事だなどとの誤解を払拭することができる。
【図面の簡単な説明】
【図１】従来例を説明するための斜視図（小短冊金物）
【図２】従来例を説明するための斜視図（大短冊金物）
【図３】従来例を説明するための斜視図（兼用状態）
【図４】従来例を説明するための斜視図（釘打ちコーナー金物）
【図５】従来例を説明するための斜視図（ビス止めコーナー金物）
【図６】第１の実施形態を示す斜視図
【図７】図６におけるＸ−Ｘ線に沿った断面図
【図８】第２の実施形態を示す断面図
【図９】第３の実施形態を示す断面図
【符号の説明】
１ａ、１ｂ  桁
２  小短冊金物
３  釘
４ａ、４ｂ  大梁
５  大短冊金物（従来例の説明中）
６  固定具用孔（従来例の説明中）
７  釘打ち用コーナープレート
８  ビス止め用コーナープレート
９  大短冊金物
１０  金物本体
１１  シート
１２  固定具用孔
１３  凹部
１４  目印
１５  薄肉部
【図１】
0004769391.tif 000002
【図２】
0004769391.tif 000003
【図３】
0004769391.tif 000004
【図４】
0004769391.tif 000005
【図５】
0004769391.tif 000006
【図６】
0004769391.tif 000007
【図７】
0004769391.tif 000008
【図８】
0004769391.tif 000009
【図９】
0004769391.tif 000010